(57)【特許請求の範囲】
【請求項１】
安定液で満たされた掘削溝に、
両側にシートを取り付け、両端面には仕切板を取り付けた鉄筋篭を建て込み、
鉄筋篭の下部は根固めモルタルなどを打設する地中連続壁構築方法において、
鉄筋篭の両端外側に開口を有する連通管を配置して、
鉄筋篭の両端外側の安定液の水位を等しく合わせることを特徴とする、
地中連続壁構築方法。
【請求項２】
安定液で満たされた掘削溝に、
両側にシートを取り付け、両端面には仕切板を取り付けた鉄筋篭を建て込み、
鉄筋篭の下部は根固めモルタルなどを打設する地中連続壁構築方法において、
鉄筋篭の両端外側に開口を有する複数本のホースを簾状にロープで連結して配置して、
鉄筋篭の両端外側の安定液の水位を等しく合わせることを特徴とする、
地中連続壁構築方法。
【発明の詳細な説明】
【０００１】
【産業上の利用分野】
本発明は、地中連続壁の構築方法に関するものである。
【０００２】
【従来の技術】
従来、地中連続壁を構築する場合、図２のように泥水などの安定液３１が入っている掘削溝３０に鉄筋篭１０を建込み、そこにコンクリートを打設して先行エレメント４０を構築し、その後、左右の後行エレメント用鉄筋篭を先行エレメント４０に連結して掘削溝３０に配置し、地中連続壁を構築している。
【０００３】
【発明が解決しようとする問題点】
しかし、従来の方法では、次のような問題点がある。
＜イ＞先行エレメント４０の鉄筋篭１０を掘削溝３０に建て込んだ後、又はコンクリート打設中に左右の安定液３１の水位のバランスが崩れて、図３のように先行エレメントの鉄筋篭１０、又は打設中の地中連続壁がくの字状に折れ曲ったり、或いは傾斜したりして、後行エレメント用の鉄筋篭との連結が十分に行われない恐れがある。
＜ロ＞特にコンクリート打設中に地中連続壁がくの字状に折れ曲ったり、或いは傾斜するのが激しい場合には、地中連続壁の動きが止まらず、掘削溝の妻側の壁面に当たることによって動きが止まり、その時には硬化中のコンクリートが破壊されてしまい、強度低下の著しい地中連続壁になってしまう恐れがある。
【０００４】
【本発明の目的】
＜イ＞本発明は、良好な地中連続壁を構築することにある。
＜ロ＞本発明は、傾いたり折れ曲がったりすることのない地中連続壁を構築することにある。
【０００５】
【問題点を解決するための手段】
本発明は安定液で満たされた掘削溝に、両側にシートを取り付け、両端面には仕切板を取り付けた鉄筋篭を建て込み、鉄筋篭の下部は根固めモルタルなどを打設する地中連続壁構築方法において、鉄筋篭の両端外側に開口を有する連通管を配置して、鉄筋篭の両端外側の安定液の水位を等しく合わせることを特徴とする地中連続壁構築方法である。
また本発明は安定液で満たされた掘削溝に、両側にシートを取り付け、両端面には仕切板を取り付けた鉄筋篭を建て込み、鉄筋篭の下部は根固めモルタルなどを打設する地中連続壁構築方法において、鉄筋篭の両端外側に開口を有する複数本のホースを簾状にロープで連結して配置して、鉄筋篭の両端外側の安定液の水位を等しく合わせることを特徴とする地中連続壁構築方法である。
【０００６】
【実施例】
以下、図面を用いて本発明の実施例を説明する。
＜イ＞地中連続壁施工の概要
地中連続壁を構築する際、先ず、先行エレメントを構築するために、掘削機で掘削溝３０を掘削し、泥水などの安定液３１を充填した後、鉄筋篭１０を建て込み、コンクリートを打設する。
【０００７】
次に先行エレメントの両端外側に後行エレメントを構築するために、掘削溝３０を掘削し、後行エレメント用の鉄筋篭と先行エレメントとを端部の継手１２で相互に連結して建て込み、コンクリートを打設して、地中連続壁を構築する。
【０００８】
＜ロ＞仕切板付き鉄筋篭
両端部に仕切板１１が取り付けられた鉄筋篭１０は、先行エレメント用として利用され、この仕切板１１はコンクリートの打設時にコンクリートが両端外側に流れ出るのを防止している。
【０００９】
仕切板１１には、継手１２を設けて両端外側に建て込む後行エレメント用の鉄筋篭の継手１２とを連結する。
【００１０】
鉄筋篭１０には、必要に応じて、鉄筋篭１０の両側で両端の仕切板１１の間にシート１３を取り付ける。シート１３は、仕切板１１と共に打設したコンクリートが鉄筋篭１０の両端外側に流れ出るのを防止する。
【００１１】
＜ハ＞連通管
両端部に仕切板１１を設けた鉄筋篭１０を安定液３１が充満している掘削溝３０に建て込んでおくと、鉄筋篭１０の両端外側の安定液３１の水位に差が出ることがある。コンクリート打設前に、シートからコンクリートが漏れ出るかどうかの確認をするため、或いはシートを掘削溝面に均等に密着させるため、鉄筋篭内の安定液の水位を鉄筋篭の両端外側の水位より高くする。
これにより、安定液３１は、仕切板１１の端を流れず、水位の差が保持されたままになる。シート１３が鉄筋篭１０に取り付けられているので流れ難くなる。
【００１２】
そこで、鉄筋篭１０の両端外側に連通管２０の開口部を配置して、連通管２０の中を安定液３１が流れるようにして、この水位の差を無くすことができる。
連通管２０は、例えばサクションホースを複数本使用する。複数のサクションホースをロープ２１で結び、平行に配列し、例えば図１のように簾状にして、鉄筋篭１０の側面と掘削溝３０の壁面の間に縦方向に配列する。
鉄筋篭１０の両端外側の安定液３１の水位を等しくすると、鉄筋篭１０の両端部に均等な力がかかり、力が打ち消されて、傾いたり折れ曲ることを防止できる。
【００１３】
以下に本発明の地中連続壁の構築方法を記載する。
＜イ＞連通管の配置
安定液３１が充填している掘削溝３０に両端部に仕切板１１を有する鉄筋篭１０を建て込む。鉄筋篭１０には原則としてシート１３を取り付けておく。
【００１４】
連通管２０は、鉄筋篭１０に予め取り付けておき、一緒に掘削溝３０に建て込む。又は、鉄筋篭１０を建て込む際に連通管２０を配置するか、或いは鉄筋篭１０を建て込んだ後に配置しても良い。
【００１５】
＜ロ＞コンクリートの打設
鉄筋篭１０の下部にトレミー管を建て込み、根固めモルタルを打設し、更にコンクリートを打設する。この際、鉄筋篭１０の内部の安定液３１を排出する。
【００１６】
例え鉄筋篭１０の両端外側の安定液３１が変動しても、この両端外側（後行エレメント側）の水位は、連通管２０により絶えず等しく保持されている。
次に後行エレメント用の掘削溝３０に鉄筋篭を建て込む。この際、両者の継手１２を連結して、コンクリートを打設して先行エレメントと後行エレメントを一体化し、地中連続壁を構築する。
【００１７】
しかし、設計条件によっては継手１２を設ける必要がなかったり、連結する必要がなかったりする。更に、他の継手方式を採用する場合もある。
【００１８】
【発明の効果】
本発明は、次のような効果を得ることができる。
＜イ＞鉄筋篭の両端外側の安定液の水位を同一レベルにするので、地中連続壁が傾いたり、或いは、くの字状に折れ曲ることがなくなる。
＜ロ＞鉄筋篭の両端外側の安定液が連通するように、連通管の開口部を鉄筋篭の両端外側に配置するので、安定液が連通して鉄筋篭の建て込み後、又はコンクリート打設中に水位のバランスが崩れることを防止できる。
【図面の簡単な説明】
【図１】本発明の地中連続壁の構築図
【図２】従来の鉄筋篭の平面配置図
【図３】従来の鉄筋篭又は地中連続壁の側面配置図
【符号の説明】
１０・・・鉄筋篭
１１・・・仕切板
１２・・・継手
２０・・・連通管
２１・・・ロープ
３０・・・掘削溝
３１・・・安定液
４０・・・先行エレメント
【図１】
0003684536.tif 000002
【図２】
0003684536.tif 000003
【図３】
0003684536.tif 000004